(57)【要約】【課題】排泄液が多いときや長時間の使用におけるべたつきによる不快感を低減し得る吸収性物品を提供する。【手段】表面層１、裏面層２、及び高吸収性ポリマー材を含む吸収層３を備え、着用者の腹側部、股下部及び背側部を繋ぐ方向に対応する縦方向と、該縦方向と直交する幅方向とを有する吸収性物品であって、吸収層３は、断面視において、高吸収性ポリマー材の質量と親水性繊維の質量との合計質量に対する高吸収性ポリマー材の質量比率が相対的に高いポリマーリッチ領域３５と、前記質量比率がポリマーリッチ領域３５に対し相対的に低い繊維リッチ領域３６とを含み、冷感剤がポリマーリッチ領域３５に含まれており、吸収層３の肌面側の最表面が繊維リッチ領域３６を有している、吸収性物品。【選択図】図１
2019084138.tif 000002
【特許請求の範囲】
【請求項１】
表面層、裏面層、及び前記表面層と前記裏面層との間に配された、高吸収性ポリマー材を含む吸収層を備え、着用者の腹側部、股下部及び背側部を繋ぐ方向に対応する縦方向と、該縦方向と直交する幅方向とを有する吸収性物品であって、
前記吸収層は、断面視において、高吸収性ポリマー材の質量と親水性繊維の質量との合計質量に対する高吸収性ポリマー材の質量比率が相対的に高いポリマーリッチ領域と、前記質量比率が前記ポリマーリッチ領域に対し相対的に低い繊維リッチ領域とを含み、
冷感剤が前記ポリマーリッチ領域に含まれており、
前記吸収層の肌面側の最表面が前記繊維リッチ領域を有している、吸収性物品。
【請求項２】
前記吸収層の肌面側の最表面には、前記繊維リッチ領域に対応して、前記吸収層より幅狭の液拡散性の液拡散層が積層されている請求項１記載の吸収性物品。
【請求項３】
前記吸収層は、幅方向に延びる凹凸面を有する請求項１又は２記載の吸収性物品。
【請求項４】
前記吸収層は、肌面側から厚み方向に分断部を有する請求項１〜３のいずれか１項に記載の吸収性物品。
【請求項５】
前記吸収層は、吸収性シートが積層された構造を有する請求項１〜４のいずれか１項に記載の吸収性物品。
【発明の詳細な説明】
【技術分野】
【０００１】
本発明は、生理用ナプキンや失禁パッド、おむつなどの吸収性物品に関する。
【背景技術】
【０００２】
生理用ナプキン等の吸収性物品において、排泄液が多いときや長時間使用するときなどにべたつきが生じて着用者が不快に感じることがある。これに対し、従来、清涼剤等の冷感剤を吸収性物品に含有させることによって、着用感の向上をはかろうとする技術があった（例えば特許文献１及び２）。冷感剤は揮発して、着用者の肌の感覚神経細胞のＴＲＰＭ８やＴＲＰＡ１などを刺激して受容器のしきい値を変化させることで清涼感が感じられる。特許文献２記載の吸収性物品は、冷感剤が排泄によって消耗されるという問題に対応するため、着用者の排泄部に当接する領域における冷感剤の量を、それ以外の領域よりも多くしている。
【先行技術文献】
【特許文献】
【０００３】
【特許文献１】特表２００４−５２８０９０号公報
【特許文献２】特開２０１０−２３４０３１号公報
【発明の概要】
【発明が解決しようとする課題】
【０００４】
人が感じるべたつき感等の不快感は、体液と肌との接触や発汗による濡れ、皮膚温度等の生理状態、物品内の気流や湿度などの環境因子が関係すると考えられる。
皮膚に作用する冷感剤を用いる技術においては、吸収性物品における冷感剤の含有量が揮発によって時間の経過とともに低減し、清涼効果は薄らいでいく。しかし、特許文献２記載の吸収性物品のように単に冷感剤の量を増やしては、肌への刺激が強くなり過ぎ、却って着用感を損ねかねない。
【０００５】
本発明は、排泄液が多いときや長時間の使用におけるべたつきによる不快感を低減し得る吸収性物品を提供する。
【課題を解決するための手段】
【０００６】
本発明は、表面層、裏面層、及び前記表面層と前記裏面層との間に配された、高吸収性ポリマー材を含む吸収層を備え、着用者の腹側部、股下部及び背側部を繋ぐ方向に対応する縦方向と、該縦方向と直交する幅方向とを有する吸収性物品であって、前記吸収層は、断面視において、高吸収性ポリマー材の質量と親水性繊維の質量との合計質量に対する高吸収性ポリマー材の質量比率が相対的に高いポリマーリッチ領域と、前記質量比率が前記ポリマーリッチ領域に対し相対的に低い繊維リッチ領域とを含み、冷感剤が前記ポリマーリッチ領域に含まれており、前記吸収層の肌面側の最表面が前記繊維リッチ領域を有している、吸収性物品を提供する。
【発明の効果】
【０００７】
本発明に係る吸収性物品は、排泄液が多いときや長時間の使用におけるべたつきによる不快感を低減することができる。
【図面の簡単な説明】
【０００８】
【図１】本発明における吸収性物品の好ましい一実施形態としての生理用ナプキンを伸長した状態で肌当接面側から模式的に示す一部切欠斜視図である。
【図２】図１に示す生理用ナプキンのＩＩ−ＩＩ線断面を模式的に示す断面図である。
【図３】吸収層におけるポリマーリッチ層と繊維リッチ層とを部分的に拡大して示す断面図である。
【図４】（Ａ）〜（Ｄ）は、中央吸収性シートの折り畳み構造の他の好ましい例を示す断面図である。
【図５】（Ａ）は、吸収層及び液拡散層の積層状態を液拡散層側（肌面側）から見た平面図であり、（Ｂ）は前記（Ａ）図のＩＶ−ＩＶ線断面における液拡散層と吸収層の肌面側の最表面（本体吸収性シートの肌面側部分）との積層状態を模式的に示す部分拡大断面図である。
【図６】吸収層が分断部を有する態様を示す図２相当の断面図である。
【図７】（Ａ）は吸収層が分断部を軸に変形した状態の一例を模式的に示す断面図であり、（Ｂ）は吸収層が分断部を軸に変形した状態の他の例を模式的に示す断面図である。
【発明を実施するための形態】
【０００９】
以下、本発明に係る吸収性物品の好ましい一実施形態としての生理用ナプキン（以下、ナプキンとも言う）１０について、図面を参照しながら説明する。
本発明においては、特に断らない限り、人体に接触する側を肌面側ないし肌当接面側あるいは表面側といい、これと反対側を非肌面側ないし非肌当接面側あるいは裏面側という。これらは、人体に接触する面を有さない部材に関しても、吸収性物品の部材構成における相対的な位置関係を示す用語として用いる。また、着用時に人体の前側に位置する方向を前方といい、後側に位置する方向を後方という。吸収性物品の表面又は裏面の法線方向を厚み方向という。
【００１０】
ナプキン１０は、図１及び２に示すように、肌当接面側の表面層１と、非肌当接面側の裏面層２と、表面層１と裏面層２との間に配された液保持性の吸収層３とを有する。表面層１は液を吸収層３へと送り込む液透過性を備え、裏面層２は吸収層３にある液に対する防漏性を備える。表面層１及び裏面層２は吸収層３の両面を覆いつつ、吸収層３の外縁外方へと延出する大きさを有する。
本実施形態においては、表面層１と吸収層３との間に、吸収層３よりも幅狭の液透過性の液拡散層４を有する。液拡散層４は、表面層１から透過される排泄液を平面方向に広げて、吸収層３の肌面側の吸収面積を広げる作用を有する。また、表面層１の肌当接面側の両側にサイドシート５が積層されている。サイドシート５と裏面層２とが吸収層３の幅方向外方に延出して、着衣等への固定手段であるウイング部６を形成している。ウイング部６及び裏面層２の非肌当接面側には、ナプキン１０を着衣に固定するための粘着部（図示せず）を有している。このシートの積層構造において、ナプキン１０の外周縁は、吸収層３を介在させずに接合された外周シール部９となっている。
【００１１】
ナプキン１０は、他の構成部材を含んでいてもよく、また液拡散層４、サイドシート５を有さない形態であってもよい。さらに表面層１から吸収層３にかけて圧搾した防漏溝、表面層１上の複数のエンボスなどを有していてもよい。また、サイドシート５は、表面層１と接合されながら、表面層１の両側よりも内方側に自由端部を残すようにしてもよく、前記自由端部に弾性部材等を配して防漏カフを構成してもよい。
【００１２】
ナプキン１０は、平面視において、縦方向（Ｙ方向）と、該縦方向と直交する幅方向（Ｘ方向）とを有する、縦長形状である。また表面層１、裏面層２及び吸収層３は、ナプキン１０と同様に、縦長形状である。縦方向は、ナプキン１０の装着時における、着用者の腹側部、股下部及び背側部を繋ぐ方向に対応する。幅方向は、着用者の股下における左右の足を繋ぐ方向に対応する。本明細書において、縦方向（Ｙ方向）及び幅方向（Ｘ方向）は、ナプキン１０の平面視における方向を示すと同時に、表面層１、裏面層２及び吸収層３の平面視における方向を示す。
【００１３】
ナプキン１０は、縦方向に関して、着用者の排泄ポイントに対向する部位を含む中間部Ｃを有する。さらに排泄部縦方向に関して、中間部Ｃよりも前方の下腹部側に配置される前方部Ｆ、後方の臀部側に配置される後方部Ｒを有する。また、中間部Ｃには、幅方向中央部分に、前記排泄ポイントに対向し、排泄液を直接受け止める受液領域Ｃ１がある。受液領域Ｃ１がある「幅方向中央部分」とは、図１に示すように、幅方向の中心線Ｌから左右に広がる所定幅の範囲をいい、吸収層の幅方向両端縁よりも内側の範囲の部分を言う。具体的には、ナプキン１０の幅方向の中心線Ｌから左右に広がる領域であって、吸収層幅に対して４０％以上６０％以下の範囲の部分をいう。なお、中間部Ｃ、受液領域Ｃ１、前方部Ｆ及び後方部Ｒは、ナプキン１０における区分を示すと同時に、これに対応する表面層１、吸収層３及び裏面層２における区分をも示す。
【００１４】
中間部Ｃ、前方部Ｆ及び後方部Ｒの区分位置は、使用目的等によって設定される吸収性物品の長さに応じて適宜設定され得る。ショーツの股下部に折り曲げて固定するウイング部を備える場合は、該ウイング部の存在する縦方向に沿った領域が中間部Ｃとなる。本実施形態のナプキン１０は、昼用などとして設定される形状の例を示しており、縦方向の長さを３等分して、前方部Ｆ、中間部Ｃ及び後方部Ｒが設定されており、ウイング部を備えない昼用のナプキンの場合には、中間部はこの設定に従う。ナプキン１０がどのような形状であっても一般的には、中間部Ｃは、前方部Ｆからの一定の距離の位置にある部位として設定され得る。さらに大人用若しくは幼児用のおむつなど、また、尿取りパッドなどについては、縦方向の長さを３等分して、前方部Ｆ、中間部Ｃ及び後方部Ｒが設定される。
【００１５】
次に、吸収層３の好ましい具体的な構造と、吸収層３における冷感剤が含まれる領域について説明する。
【００１６】
吸収層３は、高吸収性ポリマー材を含む。ここでいう高吸収性ポリマー材はいわゆるＳＡＰと呼ばれる表面架橋された高分子材料である（以下、同様）。
図２に示す吸収層３は、高吸収性ポリマー材３７及び親水性繊維を含む吸収性シートから構成されており、吸収性シートが積層された構造を有する。より具体的には、吸収層３は、本体吸収性シート３１と、本体吸収性シート３１の最も肌面側に位置する部分の非肌面側に配された中央吸収性シート３２とを有し、両吸収性シートが折り畳まれた積層構造を有する。
【００１７】
吸収性シートは、親水性繊維からなる２つのシート状の繊維層間に高吸収性ポリマー材を挟持して固定した厚みの薄いシート体である。吸収性シートの形成にあたっては、高吸収性ポリマーが湿潤によって発現する粘着力や別に添加した接着剤や接着性繊維等のバインダーを利用して一体化することができる。作製は通常用いられる種々の方法によって行うことができ、湿式、乾式いずれの方式によってもよい。吸収性シートは厚みを３．０ｍｍ以下に抑えながら、高吸収性ポリマー材をシートの平面方向に分散配置させているためゲルブロキングを起こし難く、高い吸収力を有する。例えば、特開平８−２４６３９５号公報の段落［００１９］〜［０１３１］に記載のものなどが挙げられる。
【００１８】
本体吸収性シート３１は、裏面層２側で幅方向の両端部を重ね合わせて三つ折りされた、折り畳み構造を有する。本体吸収性シート３１は、中間部Ｃから前方部Ｆ及び後方部Ｒに及ぶ長さを有し、吸収層３の外形形状をなしている。
中央吸収性シート３２は、表面層１側で幅方向の両端部を重ね合わせて三つ折りされた、折り畳み構造を有する。中央吸収性シート３２は、折り畳まれた状態において、折り畳まれた本体吸収性シート３１よりも幅狭であり、本体吸収性シート３１よりも縦方向の長さが短く、中間部Ｃの幅方向中央に配されている。中央吸収性シート３２は、本体吸収性シート３１の折り畳み構造の内部に収められている。この配置において、中央吸収性シート３２は、本体吸収性シート３１の肌面側ではなく非肌面側にあり、少なくとも本体吸収性シート３１の肌面側部分３１Ａよりも非肌面側に配されている。
【００１９】
吸収層３は、断面視において、図３に示すように、ポリマーリッチ領域３５と繊維リッチ領域３６とを備える。具体的には、図３に示すポリマーリッチ領域３５と繊維リッチ領域３６が積層されて一体構造となっており、吸収性シートのシート厚み部分を構成している。この場合、ポリマーリッチ領域３５及び繊維リッチ領域３６は、ポリマーリッチ層及び繊維リッチ層ともいう。
【００２０】
ポリマーリッチ領域３５と繊維リッチ領域３６とは、図３に示す本実施形態のようにシート厚みを２分する層になっている場合の他、吸収層３の部分的な領域となっている場合であってもよい。いずれの場合においても、後述のとおり冷感剤による作用を長く効果的に維持する観点から、吸収層３の厚み方向に重なっていることが好ましい。
【００２１】
ポリマーリッチ領域３５と繊維リッチ領域３６とは、高吸収性ポリマー材３７の質量と親水性繊維の質量との合計質量に対する高吸収性ポリマー材３７の質量比率（以下、単に「高吸収性ポリマー材３７の質量比率」と言う。）によって規定される。ポリマーリッチ領域３５は繊維リッチ領域３６よりも高吸収性ポリマー材３７の質量比率が相対的に高くされている。一方、繊維リッチ領域３６は、高吸収性ポリマー材３７の質量比率がポリマーリッチ領域３５に対し相対的に低くされている。
【００２２】
繊維リッチ領域３６の厚みは、吸収層３の全厚みに対して、１／１０〜７／１０、特に１／３〜２／３であることが、体液の拡散性と保持性の観点から好ましい。
また、吸収性シートなどの一体構造のように、ポリマーリッチ領域３５と繊維リッチ領域３６の境界が明確ではない吸収層３の構造の場合には、その厚みを２等分した場合に一方の厚み領域と他方の厚み領域とを比較して、高吸収性ポリマー材３７の質量比率が相対的に高い方をポリマーリッチ領域３５、親水性繊維の質量比率が相対的に高い方（高吸収性ポリマー材３７の質量比率が相対的に低い方）を繊維リッチ領域３６とする。
【００２３】
上記構成において、冷感剤がポリマーリッチ領域３５に含まれている。冷感剤は、揮発して、着用者の皮膚及び／又は粘膜表面の温度受容器を刺激して、皮膚及び／又は粘膜表面上の温度を変化させる必要なしに、着用者に冷感、爽快感を感じさせることができる剤である。
【００２４】
冷感剤は、ポリマーリッチ領域３５に含まれる限り、吸収層３の他の領域に含まれていてもよく、吸収層３以外の部材（例えば液拡散層４や表面層１）に含まれていてもよい。ただし、着用者の肌に対する適度な冷感効果を長く効果的に維持させる観点から、冷感剤の含有量が最も多い領域が吸収層３のポリマーリッチ領域３５にあることが好ましい。また、冷感剤を含む領域は、ナプキン１０の平面視において、中間部Ｃにあることが好ましい。
【００２５】
そして、吸収層３の肌面側の最表面が、繊維リッチ領域３６を有している。そのため、ポリマーリッチ領域３５は、吸収層３の肌面側の最表面にある繊維リッチ領域３６よりも非肌面側に配されている。
具体的には、本体吸収性シート３１の肌面側部分３１Ａのシート厚み部分が、肌面側の繊維リッチ領域３６と非肌面側のポリマーリッチ領域３５との２層構造となっている。冷感剤を含むポリマーリッチ領域３５は、吸収層３の外面に対する平面視において、繊維リッチ領域３６に重なる位置にあることが好ましく、繊維リッチ領域３６を越えず、繊維リッチ領域３６に覆われる範囲にあることがより好ましい。また、肌面側の最表面にある繊維リッチ領域３６と非肌面側の冷感剤を含むポリマーリッチ領域３５とは、少なくとも中間部Ｃにあることが好ましい。
【００２６】
吸収層３は上記構成により、吸収層３の厚み方向において、吸収後に自由水が相対的に少なくなるポリマーリッチ領域３５と自由水が相対的に多く残る繊維リッチ領域３６とを備え、着用者のべたつき感を低減するための異なる機構を備える。
【００２７】
具体的には、ポリマーリッチ領域３５は、自由水が相対的に少ないため、冷感剤が適度に揮発できる環境を提供する。すなわち、排泄液に邪魔されることなく冷感剤が揮発可能である。一方、繊維リッチ領域３６は、自由水が多く残るため、冷感剤の揮発した成分が吸収層３の肌面側から表面層１側へと拡散することを適度に抑制することができる。これにより冷感剤による冷感効果を長持ちさせることができる。加えて繊維リッチ領域３６は、吸収層３の肌面側の最表面において、水分蒸散による気化熱によって皮膚温度を下げ冷感を感じさせることができる。
【００２８】
このように、吸収層３は、肌面側の最表層にある自由水の蒸散と、内部からの冷感剤の揮発成分の拡散とによる異なる冷感機構を有する。この２つの冷感機構は、ナプンン１０を装着して排泄液が多くなるにつれ又は長く使用するにつれ、同時に発現しやすくなる。加えて、冷感剤の揮発成分の過度な拡散が抑えられて冷感剤による冷感効果が長続きし、上記の同時発現が長く生じ得る。その結果、着用者のベタつき感を長く効果的に抑えることができる。
【００２９】
図３に示した繊維リッチ領域３６とポリマーリッチ領域３５とがこの順でシート厚みにおいて上下に積層される態様は、少なくとも本体吸収性シート３１の肌面側部分３１Ａにある。該態様は、本体吸収性シート３１の肌面側部分３１Ａに加えて、吸収層３の折り畳まれた本体吸収性シート３１及び中央吸収性シート３２の全体にあってもよく、一部にあってもよい。全体にある場合、冷感剤を含むポリマーリッチ領域３５は、吸収層３の外表面に露出しないで内部にあることが好ましい。すなわち、吸収層３の外表面が繊維リッチ領域３６となっていることが好ましい。
また、ポリマーリッチ領域３５と繊維リッチ領域３６とは、図３に示す態様の他、繊維リッチ領域３６が吸収層３の肌面側の最表面にある限り、吸収層３を構成する吸収性シートの折り畳み構造おける別々の部位に配されてもよい。
【００３０】
吸収性シートにおけるポリマーリッチ領域３５と繊維リッチ領域３６の形成は、例えば次のようにして行うことができる。
まず、親水性繊維を含む水スラリーを湿式抄紙して抄造された、湿潤した繊維ウエブを作製する。水スラリーには熱溶融性接着繊維、紙力補強剤などを含ませてもよい。湿潤した状態にある繊維ウエブに対して、高吸収性ポリマー材３７を散布し、高吸収性ポリマーが繊維間に入り込んだ状態を作り出す。この部分が、吸収性シートにおけるポリマーリッチ領域３５となる。次いで、高吸収性ポリマー材３７を散布した面の上から、親水性繊維及び熱溶融性接着繊維又は紙力補強剤を含む繊維集合体を積層して乾燥、一体化処理をして吸収性シートを得る。後から積層した繊維集合体の部分が繊維リッチ領域３６となる。
また、吸収性シートを乾式で作製する場合は、高吸収性ポリマー材３７を散布する層は、抄紙、乾燥した紙、種々の方法により作製された不織布であってもよい。高吸収性ポリマー材３７を繊維間に入り込ませやすくするとう観点から、クレープ処理されたような嵩高な紙、エアースルー不織布などが好ましい。この場合、高吸収性ポリマー材３７とポリマーリッチ領域３５となる層の構成繊維との接合、ポリマーリッチ領域３５となる層と繊維リッチ領域３６となる層との接合には、ホットメルト型接着剤や水溶性接着剤などを用いてもよい。さらに、ポリマーリッチ領域３５となる層に対し、親水性繊維を積層する又は吹き付けることで繊維リッチ領域３６を形成してもよい。
【００３１】
冷感剤は、上記のとおり長持ちするため、過度に含有量を増量する必要がない。そのため従来と同様の含有量としながら、肌への刺激を抑え、適度な冷感効果を長く効果的に維持することができる。
具体的には、ナプキン１０全体における冷感剤の含有量は、冷感をほどよく感じ、ムレやべたつく感覚を低減させる効果の観点から、例えば、メントール誘導体で痛くなく、臭くない剤として開発された乳酸メンチルの場合であれば、製品長に対して４ｍｇ／１００ｍｍ以上が好ましく、５．０ｍｇ／１００ｍｍ以上がより好ましく、６．５ｍｇ／１００ｍｍ以上が更に好ましい。前記含有量は、肌への刺激を抑制する観点から、１３．５ｍｇ／１００ｍｍ以下が好ましく、１２．５ｍｇ／１００ｍｍ以下がより好ましく、１１．５ｍｇ／１００ｍｍ以下が更に好ましい。
【００３２】
（冷感剤の含有の有無、含有量の測定方法）
吸収性物品の対象部材又は対象部位から冷感剤を溶媒で抽出し、抽出溶液をガスクロマトグラフィ法（ＧＣ）で分析することができる。測定は、ガスクロマトグラフに取り付けた水素炎イオン化型検出器（ＦＩＤ）で行い、例えば、Agilent technologies製7890Aにより測定することができる。予め冷感剤を構成する化合物の濃度とピーク面積の関係を検量線化しておき、当該検量線を基に定量作業を行う。
冷感剤が乳酸メンチル及び／又はメントールを含む場合を例に説明する。溶媒としてメタノールを使用して対象部材又は対象部位から乳酸メンチル及び／又はメントールを抽出する。メタノールを溶媒として、予め濃度の異なる３〜５段階程度の乳酸メンチル溶液及び／又はメントール溶液を準備し、ＧＣのクロマトグラムからそれぞれの濃度のピーク面積を算出し、標準試料として、ｎ−ペンチルアルコールを用い、標準試料の濃度に対してそのピーク面積をプロットした検量線を作成する。検量線を作成した分析と同じ条件で抽出液の分析を行うことで、得られたピーク面積を検量線にあてはめて乳酸メンチル量及び／又はメントール量を算出する。また、得られた乳酸メンチル量及び／又はメントール量を、予め採取した製品部位の面積で除することにより、単位面積当たりの冷感剤量（冷感剤坪量）を求めることができる。また、得られた乳酸メンチル量及び／又はメントール量を、吸収性物品の縦方向の長さ（ｍｍ）で除し、１００倍することで、製品長さ１００ｍ当りの冷感剤量を求めることができる。
製品の各構成部材又は部位ごとの冷感剤量を知るには、５℃のチャンバー内で製品を分解し、測定する材料部位を取り出すことで分析可能となる。
【００３３】
ポリマーリッチ領域３５と繊維リッチ領域３６との構成は、本実施形態の吸収性シートに限らず、吸収性物品として通常用いられる種々の態様のものに有していてもよい。例えば、親水性繊維と高吸収性ポリマー材３７との混合積繊体を親水性の被覆シートで覆ったものであってもよい。この積繊体においては、パルプを積繊する際に、高吸収性ポリマー材３７の散布量を調整することで、ポリマーリッチ領域３５と繊維リッチ領域３６とを形成することができる。
【００３４】
ただし、本実施形態のように吸収層３が吸収性シートの積層構造を有すると、薄型化が可能であり、冷感剤を含有する層を適宜設定することによって、冷感効果の持続性と吸収性（透過性）とを好適に制御することができ好ましい。また、これにより冷感付与を所望の位置で強化することができる。さらに吸収性シートの層間には冷感剤の揮発成分を溜めやすく、より良好な冷感付与を長く効果的に維持することができる。吸収性シートが積層された構造においては、着用者の動きに伴って吸収層３の層間が開閉し空気の出入りが生まれる。これによって溜まった冷感剤の揮発成分が着用者の肌面へと押し上げられ、効果的に冷感作用が発現し得るので好ましい。特に、時間が経って冷感剤の含有残存量が少なくなってきたときに効果的である。肌面への送り込みの観点からは、冷感剤はできるだけ吸収層３の肌面側にあることが好ましく、吸収性シートの積層構造は好適である。すなわち、冷感剤が吸収層３内に滲出する場合、同一層内での移動が生じやすく、厚み方向への冷感剤の滲出量を抑制し、できるだけ肌面側に近い位置に残留させることができる。
【００３５】
本実施形態の吸収層３の積層構造において、中央吸収性シート３２の折り畳み構造は、図２に示す態様に限らず、種々のものとすることができる。例えば、図４（Ａ）〜（Ｄ）に示すような折り畳みであってもよい。図４（Ａ）は、中央吸収性シート３２の幅方向の両端部をそれぞれ肌面側と非肌面側とに折り返しＳ字状に折り畳んだ態様を示している。図４（Ｂ）は幅方向に二つ折りした態様を示している。図４（Ｃ）及び（Ｄ）は、幅方向に三つ折りした各部分の長さが等しくなるように折り畳んだ態様を示している。
【００３６】
本体吸収性シート３１の折り畳み構造は、図２に示す態様に限らず、種々のものとすることができる。例えば、中央吸収性シート３２の折り畳み構造として示した図４（Ａ）〜（Ｄ）と同様のものとしてもよい。また肌面側と非肌面側とに分かれた２枚のシートを積層した構造であってもよい。さらに、本体吸収性シート３１の折り畳み構造の内部に中央吸収性シート３２を内包する態様に限定されず、内包せずに、本体吸収性シート３１の折り畳み構造の非肌面側に中央吸収性シート３２を積層する態様であってもよい。
ただし、本体吸収性シート３１の折り畳み構造の内部に中央吸収性シート３２を内包する態様であると、冷感剤の揮発成分をより溜めやすくなり、後述する分断部８の作用の観点から好ましい。
【００３７】
吸収層３がどのような積層構造を有していても、吸収性シートの重なり部分が接合されないことが好ましい。これにより、吸収層３の層間の空間が形成されやすく、前述の層間の開閉性が高まる。その結果、冷感剤の揮発成分の肌への移動をより発現させやすくすることができる。
【００３８】
本実施形態においては、前述した液拡散層４が、吸収層３の肌面側の最表面に積層され（図５（Ａ））、繊維リッチ領域３６に対応して積層されていることが好ましい（図５（Ｂ））。液拡散層４は、前述のとおり吸収層３よりも幅狭にされ、液透過性を有し、表面層１から透過される排泄液を平面方向に広げる作用をする。
これにより液拡散層４は、繊維リッチ領域３６による冷感剤の揮発成分の過度な拡散に対する抑制作用をできるだけ広い範囲で発現させることができる。これにより、液拡散層４自体の介在も加わって、より広い範囲において、冷感剤の揮発成分の過度な拡散を抑制して、肌への良好な冷感付与をすることができる。さらに液拡散層４の介在が、表面層１下の層間における空気だまりを増やし、冷感剤を長持ちさせ、丁度よい冷感付与の実現に寄与する。
加えて、吸収層３の肌面側における排泄液の吸収面積が広がるため、単位面積当たりの吸収量を低めにすることができる。これによりポリマーリッチ領域３５における高吸収性ポリマー材３７による吸収効率が高まる。このようにして液拡散層４とポリマーリッチ領域３５とが、繊維リッチ領域３６における自由水を過剰にならないよう好適に抑えることができる。これにより、吸収層３から肌面側への排泄液の液戻りを効果的に抑えながら、繊維リッチ領域３６の広い範囲において気化熱によって皮膚温度を下げることができ、着用者の不快感を抑えることができる。
また液吸収層４は、吸収層３よりも幅狭であることによって、吸収層３の幅方向外方へと排泄液が漏れることを抑えることができる。
【００３９】
液拡散層４の幅方向の長さＷ１の、吸収層３の幅方向の長さＷ２に対する割合は、排泄液を効果的に拡散させる観点から、６０％以上が好ましく、６５％以上がより好ましく、７０％以上が更に好ましい。また、前記割合は、排泄液の漏れを防止する観点から、９０％以下が好ましく、８５％以下がより好ましく、８０％以下が更に好ましい。
【００４０】
液拡散層４は、冷感剤を含んでいてもよく、含んでいなくてもよい。冷感剤による冷感効果を長く効果的に維持する観点から、冷感剤の含有量が最も多い領域が吸収層３（特に吸収層３の肌面側）にあることが好ましい。
【００４１】
さらに、吸収層３は、幅方向に延びる凹凸面７を有することが好ましい。この凹凸面７は、図５（Ｂ）に示すように、少なくとも肌面側の最表面、すなわち、本体吸収性シート３１の肌面側部分３１Ａの繊維リッチ領域３６にあることが好ましい。さらに吸収性シートの積層構造における各層において有することがより好ましい。このような凹凸面７としては、例えば吸収性シートの外表面をクレープ加工した紙（クレープ紙）から構成し、該クレープ紙のシワ状の凹凸面などが挙げられる。
この凹凸面７によって、排泄液が縦方向に拡散しすぎることを防止することができる。幅方向の拡散は、液拡散層４が積層されている場合に、該液拡散層４を吸収層３よりも幅狭にすることで抑制することができる。また、吸収層３の肌面側の最表面、吸収層３内部の吸収性シートの積層構造における層間において、空気の通り道７１ができ、自由水の蒸散、冷感剤の揮発成分の適度な拡散に寄与する。
【００４２】
さらに吸収層３は、図６に示すように、肌面側から厚み方向に分断部８を有することが好ましい。分断部８は、吸収層３の肌面側から所定厚みにあることが好ましく、吸収層３の厚み全体に亘って存在する貫通分断部であることがより好ましい。上記の所定厚みとしては、少なくとも肌面側の最表面（本体吸収性シート３１の肌面側部分３１Ａ）の厚みであることが好ましく、肌面側の最表面から複数層に亘る厚みであることがより好ましい。
【００４３】
分断部８とは、吸収層３の構成材料の連続性が断絶された部分であり、部材のない隙間部分である。例えば、細長く切り込まれたスリット部８１であってもよく、部材の一部が切り欠かれた凹部空間であってもよい。
ここで言う「スリット部」は、部材断絶の幅が０．５ｍｍ以下の切り込み部分として定義でき、好ましくは０．３ｍｍ以下であり、より好ましくは０．２ｍｍ以下である。スリット部の「幅」とは、ナプキン１０の平面視において、スリット部の延出する長さ方向に直交する方向の、断絶された部材間の距離（開口幅）をいう。スリット部の幅は、ナプキン１０から吸収層３を取り出して水平な台に静置し、張力を加えない自然状態において、株式会社キーエンス製のデジタルマイクロスコープＶＨＸ−１０００によって測定することができる。そのとき測定倍率は適宜調整して測定する。
【００４４】
分断部８は、吸収層３の構成部材の非連続部分であることから、吸収層３の変形の軸となり得る。例えば、ナプキン１０装着時に、着用者の身体の動きに合わせてナプキン１０の幅方向内方への押圧や前後方向のせん断力等の外力が加わったときに、分断部８を基軸として、吸収層３が変形することができる。これにより分断部８が、吸収層３の変形の仕方によって、一方で空気を溜める空間（例えば図７（Ａ）及び（Ｂ）の符号Ｐで示す領域）を形成し、他方で空気を移動（例えば図７（Ａ）に示す矢印Ｆ）させる通気路を形成することができる。分断部８が通気路となる際には、吸収層３の変形の力が空気を押し出す駆動力として作用する。
これにより、前述した吸収層３の層間の開閉し空気の出入りに連動して、分断部８がなす通気路からより積極的に、溜まった冷感剤の揮発成分を肌面へと送り込むことができる。また、分断部８による通気路は、水分の気化熱による皮膚温度の低下にも効果的に寄与し得る。
【００４５】
なお、図７（Ａ）及び（Ｂ）は分断部８を軸とした吸収層３の変形を模式的に示しており、実際の変形はこれに限定されるものではない。また、図７（Ａ）に示す矢氏Ｆの空気の移動と図７（Ｂ）の符号Ｐで示す空気が溜まる領域の形成とが時間的に異なる場面にて生じるとは限らず、分断部８が配される領域内の異なる場所で同時に生じることもあり得る。さらに、符号Ｐで示す空気が溜まる領域は、分断部８付近のみで生じるものではなく、層間の空間にも生じ得る。層間の空間における空気溜まりは分断部８を軸とした変形の有無に拘らず生じ、該空気及び冷感剤の揮発成分が分断部８を軸とした変形によって肌面へと押し出されることとなる。
【００４６】
分断部８は、通気路としての作用を効果的に発現させる観点から、吸収層３の少なくとも中間部Ｃに複数、分散配置されていることが好ましい。
【００４７】
分断部８がスリット部８１である場合、該スリット部８１はこの種の物品に用いられる方法によって形成することができる。例えば、ロール周面に、周方向に延びる切断刃が、ロール周方向及びロール軸方向に分散配置されたカッターロールと、対応配置されるアンビルロールとを備えた切断装置を用いて切り込みを形成することができる（図示せず）。前記切断刃は、切り込み（スリット部）の縦方向の長さに対応する周方向の長さを有する。この切断刃は、ロール周面において、切り込み（スリット部）の所望の配置に対応して分散配置される。また、切り込みの深さは、カッターロールとアンビルロールとのクリアランスや切断刃の大きさ等によって設定することができる。
【００４８】
ナプキン１０を構成する部材の形成材料は、この種の物品に用いられるものを特に制限なく用いることができる。
【００４９】
冷感剤としては、着用者の皮膚及び／又は粘膜表面の温度受容器を刺激して、皮膚及び／又は粘膜表面上の温度を変化させることなしに、着用者に爽快感を伝えることのできる種々の剤を用いることができる。例えば、シクロヘキシル誘導体、シクロヘキサノール誘導体、カルボキサミド類など、特開２０１５−１２９１８号公報の段落［０００６］〜［００８６］に記載のものが挙げられる。その中でも、匂いによる爽快感と速攻性、持続性の観点から、水不溶性又は水難溶性のものが好ましい。水不溶性又は水難溶性の冷感剤は体液とともに非肌面側へ移行しにくいことから、冷感は持続しやすい。水不溶性又は水難溶性のものとしては、乳酸メンチル、メントールが好ましい。ここで言う「水不溶性又は水難溶性」とは、２５℃の水１Ｌに対して１ｇ以下の溶解性であることを言い、特に「水不溶性」は、２５℃の水１Ｌに対して０．１ｇ以下の溶解性であることを言う。
冷感剤は、種々の方法によってナプキン１０に含ませることができる。例えば、溶媒に溶解させた状態でナプキン１０に含ませてもよく、溶媒を用いずに含ませてもよい。また冷感剤はマイクロカプセルに包むなどデリバリー手段を伴ってナプキン１０に含ませてもよい。前記溶媒としては、通常用いられる種々のものを採用できる。例えば、ジプロピレングリコールなどが挙げられる。
【００５０】
冷感剤としては、特に、メントール及び乳酸メンチルを含むことが、冷感効果を着用後素早く感じられると共に穏やかなものとし、持続性を高めることから好ましい。同様の観点から、メントールと乳酸メンチルの含有量は、前者／後者の質量比で、０．０１以上が好ましく、更に０．０２以上が好ましく、また、０．２以下が好ましく、更に０．１５以下が好ましい。
【００５１】
吸収層３を構成する親水性繊維としては、疎水性の繊維を親水化処理したもの、それ自体が親水性であるものが挙げられる。特に、それ自体が親水性でかつ保水性を有するものが好ましい。後者の親水性繊維としては、天然系の繊維、セルロース系の再生繊維又は半合成繊維が好ましい例として挙げられる。親水性繊維としては、特にパルプ、レーヨンが好ましく、パルプが一層好ましい。更にセルロース繊維の分子内及び／又は分子間を架橋させた架橋セルロース繊維や木材パルプをマーセル化処理して得られるような嵩高性のセルロース繊維を用いてもよい。パルプとしては、針葉樹クラフトパルプ或いは広葉樹クラフトパルプのような木材パルプ、木綿パルプ或いはワラパルプ等の天然セルロース繊維等が挙げられるが、それらに限定されるものではない。これらのパルプは１種又は２種以上を用いることができる。
【００５２】
吸収層３を構成する高吸収性ポリマー材３７としては、例えば、アクリル酸又はアクリル酸塩を主成分とし、場合によって架橋剤を添加してなる水溶性のエチレン性不飽和モノマーを重合させて得られるヒドロゲル材料が挙げられる。また、ポリエチレンオキサイド、ポリビニルピロリドン、スルホン化ポリスチレン及びポリビニルピリジンの架橋物、デンプン−ポリ（メタ）アクリロニトリルグラフト共重合物のケン化物、デンプン−ポリ（メタ）アクリル酸グラフト共重合物、デンプン−ポリ（メタ）アクリルエステルグラフト共重合物の加水分解物などが挙げられる。これらの高吸収性ポリマー材３７は１種を単独で、又は２種以上を組み合わせて用いることができる。高吸収性ポリマー材３７としては、自重の２０倍以上、特に５０倍以上の純水を吸収・保持できゲル化し得るものが好ましい。
高吸収性ポリマー材３７の形状は、吸収層に用いられる種々ものを特に制限なく用いることができる。例えば、球状、粒状、繊維状、俵状、塊状などが挙げられる。
【００５３】
表面層１は、液透過性を有する種々のシートを用いることができる。肌触りの良さを考慮すると、親水性の不織布が好ましく、サーマルボンド不織布がより好ましく、エアスルー不織布が特に好ましい。表面層１の不織布を構成する繊維は、親水化処理された熱可塑性樹脂繊維であり、かつ、該繊維が２次クリンプ又は３次クリンプのような立体捲縮がなされた繊維であることが好ましい。具体的には、表面層１の不織布を構成する繊維は、ポリエチレン、ポリプロピレン、ポリエステル、ナイロン、及びこれらの複合繊維を作成し、所定の長さにカットしてステープルを形成する前の段階で、各種親水化剤を塗工することで親水化する。親水化剤としては、αオレフィンスルホン酸塩に代表される各種アルキルスルホン酸塩、アクリル酸塩、アクリル酸塩／アクリルアミド共重合体、エステルアミド、エステルアミドの塩、ポリエチレングリコール及びその誘導物、水溶性ポリエステル樹脂、各種シリコーン誘導物、各種糖類誘導物、及びこれらの混合物など、通常用いられる親水化剤による親水化処理を用いることができる。
【００５４】
裏面層２としては、防漏性を有する種々のものを用いることができる。例えば、非透湿性若しくは透湿性フィルム単独、又はフィルムと不織布とを貼り合わせたもの、撥水性の不織布（ＳＭＳやＳＭＭＳ等）を用いることができる。コスト面やズレ止め粘着剤とのマッチングなどから、非透湿性フィルム単独を防漏材として用いることが最も好ましい。この場合の透湿性フィルム材としては、熱可塑性樹脂と、これと相溶性のない無機フィラーを溶融混練して押し出したフィルムを所定の寸法に延伸して微細孔をあけたフィルム、または、本質的に水分の相溶性が高く、浸透膜のように水蒸気排出可能な無孔性のフィルムが挙げられる。
【００５５】
液拡散層４としては、親水性を有し液拡散性に優れているものが好ましい。熱可塑性繊維を含む不織布などが挙げられる。不織布としては、各種の製法によって得られた不織布を用いることができる。例えば、カード法又はエアレイド法により得た繊維ウエブにエアスルー法で繊維どうしの熱融着点を形成したエアスルー不織布、カード法により得た繊維ウエブにヒートロール法で繊維どうしの熱融着点を形成したヒートロール不織布、ヒートエンボス不織布、スパンレース不織布、ニードルパンチ不織布、レジンボンド不織布等の種々の不織布を用いることができる。
【００５６】
サイドシート５としては、撥水性の不織布が好ましく、カード法により製造された不織布、スパンボンド不織布、メルトブローン不織布、スパンレース不織布、ヒートロール不織布、ニードルパンチ不織布等の中から撥水性の物、または撥水処理した種々の不織布を用いることができる。特に好ましくは、例えば、スパンボンド不織布、スパンボンド−メルトブローン（ＳＭ）不織布、スパンボンド−メルトブローン−スパンボンド（ＳＭＳ）不織布等が用いられる。
【００５７】
本発明の吸収性物品は、上記の実施形態の生理用ナプキンに制限されるものではなく、例えばパンティライナー、失禁パッド、尿とりパッド、使い捨ておむつ等に適応することができる。また、経血に限らずその他、尿、オリモノ、軟便等に対しても効果的である。また、上記構成部材の他、用途や機能に合わせ適宜部材を組み込んでもよい。
【００５８】
また、本発明の吸収性物品は、生理用ナプキンやパンティライナーなど１製品毎にカバンなどに入れて持ち運びされる物である場合、個包装されていることが好ましい。具体的には、表面層が内側になるよう縦方向に折り畳まれて、個包装用の外方材によって包まれた吸収性物品個包装体とされていることが好ましい。個包装体とすることで、肌に触れる表面層（使用面）の衛生を守りつつ、携帯性の高い物品することこができ、使用者の利便性を高めることができる。
【００５９】
上述した実施形態に関し、本発明はさらに以下の吸収性物品を開示する。
【００６０】
＜１＞
表面層、裏面層、及び前記表面層と前記裏面層との間に配された、高吸収性ポリマー材を含む吸収層を備え、着用者の腹側部、股下部及び背側部を繋ぐ方向に対応する縦方向と、該縦方向と直交する幅方向とを有する吸収性物品であって、前記吸収層は、断面視において、高吸収性ポリマー材の質量と親水性繊維の質量との合計質量に対する高吸収性ポリマー材の質量比率が相対的に高いポリマーリッチ領域と、前記質量比率が前記ポリマーリッチ領域に対し相対的に低い繊維リッチ領域とを含み、冷感剤が前記ポリマーリッチ領域に含まれており、前記吸収層の肌面側の最表面が前記繊維リッチ領域を有している、吸収性物品。
【００６１】
＜２＞
前記吸収層の肌面側の最表面には、前記繊維リッチ領域に対応して、前記吸収層より幅狭の液拡散性の液拡散層が積層されている前記＜１＞に記載の吸収性物品。
＜３＞
前記液拡散層の幅方向の長さの、前記吸収層の幅方向の長さに対する割合は、６０％以上、９０％以下、好ましくは６５％以上、８０％以下である、前記＜２＞に記載の吸収性物品。
＜４＞
前記吸収層は、幅方向に延びる凹凸面を有する前記＜１＞〜＜３＞のいずれか１に記載の吸収性物品。
＜５＞
前記吸収層は、肌面側から厚み方向に分断部を有する前記＜１＞〜＜４＞のいずれか１に記載の吸収性物品。
＜６＞
前記分断部は前記吸収層を貫通している前記＜５＞に記載の吸収性物品。
＜７＞
前記分断部は幅０．５ｍｍ以下のスリットである、前記＜５＞又は＜６＞に記載の吸収性物品。
＜８＞
前記吸収性物品は、縦方向に前方部、中間部、後方部を備えており、前記分断部が少なくとも該中間部に配されている、前記＜５＞〜＜７＞のいずれか１に記載の吸収性物品。
＜９＞
前記吸収層は吸収性シートからなる、＜１＞〜＜８＞のいずれか１に記載の吸収性物品。
＜１０＞
前記吸収性シートはクレープ加工した紙から構成されている、前記＜９＞に記載の吸収性物品。
＜１１＞
前記吸収層は、前記吸収性シートが積層された構造を有する前記＜９＞又は＜１０＞に記載の吸収性物品。
＜１２＞
前記吸収性物品は、前記縦方向に沿って、前方部、後方部、及び該前方部と後方部の間に位置し、排泄ポイントに対応する領域を含む中間部を備えており、前記吸収性シートは、中間部から前方部及び後方部に及ぶ長さを有する本体吸収性シートと、該本体吸収性シートの最も肌面側に位置する部分の非肌面側に配された中央吸収性シートとを有し、両吸収性シートがそれぞれ折り畳まれた積層構造を有する、前記＜１１＞に記載の吸収性物品。
＜１３＞
前記中央吸収性シートは前記本体吸収性シートよりも縦方向の長さが短く、かつ幅が狭い前記＜１２＞に記載の吸収性物品。
＜１４＞
前記本体吸収性シートは、前記裏面層側で幅方向の両端部を重ね合わせて三つ折りされた折り畳み構造を有する前記＜１３＞に記載の吸収性物品。
＜１５＞
前記中央吸収性シートは前記本体吸収性シートの折り畳み構造の内部に収められている前記＜１４＞に記載の吸収性物品。
＜１６＞
少なくとも肌面側部分に位置する前記本体吸収性シートにおいて、繊維リッチ領域とポリマーリッチ領域が、肌面側からこの順で存在している前記＜１２＞〜＜１５＞のいずれか１に記載の吸収性物品。
＜１７＞
本体吸収性シート及び中央吸収性シートの全てにおいて、繊維リッチ領域とポリマーリッチ領域を有している前記＜１２＞〜＜１６＞のいずれか１に記載の吸収性物品。
＜１８＞
前記冷感剤はメントールとメントール誘導体を含む前記＜１＞〜＜１７＞のいずれか１に記載の吸収性物品
＜１９＞
前記メントール誘導体は乳酸メンチルである、前記＜１８＞に記載の吸収性物品。
＜２０＞
前記乳酸メンチルの含有量は、製品長に対して４ｍｇ／１００ｍｍ以上、１３．５ｍｇ／１００ｍｍ以下、好ましくは、５ｍｇ／１００ｍｍ以上、１２．５ｍｇ／１００ｍｍ以下、更に好ましくは、６．５ｍｇ／１００ｍｍ以上、１１．５ｍｇ／１００ｍｍ以下である、前記＜１９＞に記載の吸収性物品。
＜２１＞
前記吸収性物品は、縦方向に前方部、中間部、後方部を備えており、前記冷感剤を含むポリマーリッチ領域は、少なくとも中間部に存在する前記＜１＞〜＜２０＞のいずれか１に記載の吸収性物品。
＜２２＞
前記吸収性物品は生理用ナプキンである、前記＜１＞〜＜２１＞のいずれか１に記載の吸収性物品。
【符号の説明】
【００６２】
１  表面層
２  裏面層
３  吸収層
４  液拡散層
５  サイドシート
６  ウイング部
８  分断部
１０  生理用ナプキン
【図１】
2019084138.tif 000003
【図２】
2019084138.tif 000004
【図３】
2019084138.tif 000005
【図４】
2019084138.tif 000006
【図５】
2019084138.tif 000007
【図６】
2019084138.tif 000008
【図７】
2019084138.tif 000009